(57)【特許請求の範囲】
【請求項１】
長辺部と、短辺部と、前記長辺部と前記短辺部とを繋いでＲ曲線で屈曲した角部と、を有した複数の熱交換器ユニットを上下に積み重ねた熱交換器を備え、
上下に隣接する前記熱交換器ユニット同士の相対位置を規制する第１規制部材を更に備え、
前記第１規制部材は、前記長辺部の一部と前記長辺部から連続する前記角部の途中までの範囲との間にて上下に隣接する前記熱交換器ユニット同士の相互の位置を合わせるものであって、上下に隣接する前記熱交換器ユニットそれぞれの通風方向の流入面部と流出面部とを挟み込んで規制し、
前記熱交換器は、上下に隣接する前記熱交換器ユニット同士の間で発生した通風方向でのずれを、前記第１規制部材によって前記長辺部の一部と前記長辺部から連続する前記角部の途中までの範囲との間にて上下に隣接する前記熱交換器ユニット同士の相対位置を合わせ、前記長辺部側よりも前記短辺部側に大きく形成したものであり、
前記第１規制部材は、
前記長辺部の途中の位置から前記角部の途中の位置まで連続して、上下に隣接する熱交換器ユニット間に配置された基部と、
前記基部に設けられ、上下に隣接する前記熱交換器ユニットそれぞれにおける前記通風方向の前記流入面部と前記流出面部とを挟み込む複数のリブと、
前記基部の上方に設けられ、上下に隣接する前記熱交換器ユニットのうち上側の前記熱交換器ユニットの隣り合う金属板間に差し込まれる第１の凸部、及び、前記基部の下方に設けられ、上下に隣接する前記熱交換器ユニットのうち下側の前記熱交換器ユニットの隣り合う金属板間に差し込まれる第２の凸部、のいずれか一方のみを有する
空気調和装置の室外機。
【請求項２】
長辺部と、短辺部と、前記長辺部と前記短辺部とを繋いでＲ曲線で屈曲した角部と、を有した複数の熱交換器ユニットを上下に積み重ねた熱交換器を備え、
上下に隣接する前記熱交換器ユニット同士の相対位置を規制する第１規制部材を更に備え、
前記第１規制部材は、前記長辺部の一部と前記長辺部から連続する前記角部の途中までの範囲との間にて上下に隣接する前記熱交換器ユニット同士の相互の位置を合わせるものであって、上下に隣接する前記熱交換器ユニットそれぞれの通風方向の流入面部と流出面部とを挟み込んで規制し、
前記熱交換器は、上下に隣接する前記熱交換器ユニット同士の間で発生した通風方向でのずれを、前記第１規制部材によって前記長辺部の一部と前記長辺部から連続する前記角部の途中までの範囲との間にて上下に隣接する前記熱交換器ユニット同士の相対位置を合わせ、前記長辺部側よりも前記短辺部側に大きく形成したものであり、
上下に隣接する前記熱交換器ユニット同士の相対位置を規制する第３規制部材を更に備え、
前記第３規制部材は、上下に隣接する前記熱交換器ユニット同士における前記短辺部の側端部にて上下に隣接する前記熱交換器ユニット同士の上下方向を規制し、通風方向にずれを許容する遊びを持たせる
空気調和装置の室外機。
【請求項３】
前記第１規制部材は、上下に隣接する前記熱交換器ユニット同士を相互間で前記長辺部の長手方向に移動可能とする請求項１又は２に記載の空気調和装置の室外機。
【請求項４】
上下に隣接する前記熱交換器ユニット同士の相対位置を規制する第２規制部材を備え、
前記第２規制部材は、上下に隣接する前記熱交換器ユニット同士における前記長辺部の途中にて上下に隣接する前記熱交換器ユニット同士の相互の位置を合わせるものであって、上下に隣接する前記熱交換器ユニットそれぞれの通風方向の流入面部と流出面部とを挟み込んで規制する請求項１〜３のいずれか一項に記載の空気調和装置の室外機。
【請求項５】
前記熱交換器は、前記長辺部を装置背面となるように露出させ、
前記熱交換器の前記短辺部を覆い、通風可能な複数の開口部が形成されたケーシングを備えた請求項１〜４のいずれか１項に記載の空気調和装置の室外機。
【請求項６】
前記ケーシングに被さって前記熱交換器を下方向に押圧固定した天板を備えた請求項５に記載の空気調和装置の室外機。
【請求項７】
前記熱交換器ユニットは、前記長辺部に前記角部を介して前記短辺部を連続させたＬ字状に形成され、
前記ケーシングは、前記熱交換器の前記短辺部を覆う装置側面部と、装置背面となった前記熱交換器の露出させた前記長辺部とは反対側の装置前面部と、を有し、
前記ケーシングの前記装置側面部とは反対側の装置反対側側面部を構成し、前記熱交換器の前記長辺部の側端部が固定された支柱部を備え、
前記天板は、前記ケーシングおよび前記支柱部に被さって前記熱交換器を下方向に押圧固定した請求項６に記載の空気調和装置の室外機。
【発明の詳細な説明】
【技術分野】
【０００１】
本発明は、複数の熱交換器ユニットを上下に積み重ねた熱交換器を備えた空気調和装置の室外機に関する。
【背景技術】
【０００２】
従来、空気調和装置の室外機では、Ｌ字状あるいはＵ字状などの一部が折り曲げられた複数の熱交換器ユニットを安定して上下に積み重ねるために、保持部材を介在させている。【０００３】
保持部材により上部熱交換器ユニット側面と下部熱交換器ユニット側面とが支持される技術が開示されている（たとえば、特許文献１参照）。
【先行技術文献】
【特許文献】
【０００４】
【特許文献１】特開２００９−７９８５１号公報
【発明の概要】
【発明が解決しようとする課題】
【０００５】
しかしながら、上記特許文献１に記載の空気調和装置の室外機では、保持部材は、Ｌ字状あるいはＵ字状などに一部が折り曲げられた熱交換器ユニットの直線部および角部の多くの範囲を規制している。このため、熱交換器ユニットを折り曲げる角度がばらつき、折り曲げ角度が上下に隣接する熱交換器ユニットで合っていない場合に、組立時に熱交換器ユニットの折り曲げ角度の調整が必要となり、組立作業工程あるいは組立作業時間が多くなり、組立効率に課題があった。【０００６】
また、組立効率を向上しようとして、保持部材に設けられた熱交換器ユニット側面を規制する支持部の寸法を広げ、折り曲げる角度がばらついた熱交換器ユニットをそのまま上下に積み重ねることが考えられる。しかし、この場合には、据付作業者あるいは使用者が上下に積み重ねた熱交換器ユニットに触れられる装置背面などの箇所に、上下に積み重ねた熱交換器ユニットの通風方向でのずれに起因する段差が生じるという課題があった。【０００７】
本発明は、上記課題を解決するためのものであり、組立時に熱交換器ユニットの折り曲げ角度の調整を必要とせず組立効率が向上し、かつ、据付作業者あるいは使用者が上下に積み重ねた熱交換器ユニットに触れられる装置背面などの箇所での、上下に積み重ねた熱交換器ユニットの通風方向でのずれに起因する段差が抑制される空気調和装置の室外機を提供することを目的とする。
【課題を解決するための手段】
【０００８】
本発明に係る空気調和装置の室外機は、長辺部と、短辺部と、前記長辺部と前記短辺部とを繋いでＲ曲線で屈曲した角部と、を有した複数の熱交換器ユニットを上下に積み重ねた熱交換器を備え、上下に隣接する前記熱交換器ユニット同士の相対位置を規制する第１規制部材を更に備え、前記第１規制部材は、前記長辺部の一部と前記長辺部から連続する前記角部の途中までの範囲との間にて上下に隣接する前記熱交換器ユニット同士の相互の位置を合わせるものであって、上下に隣接する前記熱交換器ユニットそれぞれの通風方向の流入面部と流出面部とを挟み込んで規制し、前記熱交換器は、上下に隣接する前記熱交換器ユニット同士の間で発生した通風方向でのずれを、前記第１規制部材によって前記長辺部の一部と前記長辺部から連続する前記角部の途中までの範囲との間にて上下に隣接する前記熱交換器ユニット同士の相対位置を合わせ、前記長辺部側よりも前記短辺部側に大きく形成したものであり、前記第１規制部材は、前記長辺部の途中の位置から前記角部の途中の位置まで連続して、上下に隣接する熱交換器ユニット間に配置された基部と、前記基部に設けられ、上下に隣接する前記熱交換器ユニットそれぞれにおける前記通風方向の前記流入面部と前記流出面部とを挟み込む複数のリブと、前記基部の上方に設けられ、上下に隣接する前記熱交換器ユニットのうち上側の前記熱交換器ユニットの隣り合う金属板間に差し込まれる第１の凸部、及び、前記基部の下方に設けられ、上下に隣接する前記熱交換器ユニットのうち下側の前記熱交換器ユニットの隣り合う金属板間に差し込まれる第２の凸部、のいずれか一方のみを有する。
また、本発明に係る空気調和装置の室外機は、長辺部と、短辺部と、前記長辺部と前記短辺部とを繋いでＲ曲線で屈曲した角部と、を有した複数の熱交換器ユニットを上下に積み重ねた熱交換器を備え、上下に隣接する前記熱交換器ユニット同士の相対位置を規制する第１規制部材を更に備え、前記第１規制部材は、前記長辺部の一部と前記長辺部から連続する前記角部の途中までの範囲との間にて上下に隣接する前記熱交換器ユニット同士の相互の位置を合わせるものであって、上下に隣接する前記熱交換器ユニットそれぞれの通風方向の流入面部と流出面部とを挟み込んで規制し、前記熱交換器は、上下に隣接する前記熱交換器ユニット同士の間で発生した通風方向でのずれを、前記第１規制部材によって前記長辺部の一部と前記長辺部から連続する前記角部の途中までの範囲との間にて上下に隣接する前記熱交換器ユニット同士の相対位置を合わせ、前記長辺部側よりも前記短辺部側に大きく形成したものであり、上下に隣接する前記熱交換器ユニット同士の相対位置を規制する第３規制部材を更に備え、前記第３規制部材は、上下に隣接する前記熱交換器ユニット同士における前記短辺部の側端部にて上下に隣接する前記熱交換器ユニット同士の上下方向を規制し、通風方向にずれを許容する遊びを持たせるものである。
【発明の効果】
【０００９】
本発明に係る空気調和装置の室外機によれば、熱交換器は、上下に隣接する熱交換器ユニット同士の間で発生した通風方向でのずれを長辺部側よりも短辺部側に大きく形成した。したがって、組立時に熱交換器ユニットの折り曲げ角度の調整を必要とせず組立効率が向上できる。また、据付作業者あるいは使用者が上下に積み重ねた熱交換器ユニットに触れられる装置背面などの長辺部が配置される箇所での、上下に積み重ねた熱交換器ユニットの通風方向でのずれに起因する段差が抑制できる。
【図面の簡単な説明】
【００１０】
【図１】本発明の実施の形態に係る空気調和装置の室外機を示す分解斜視図である。
【図２】本発明の実施の形態に係る空気調和装置の室外機を装置背面から見た状態を示す斜視図である。
【図３】本発明の実施の形態に係る空気調和装置の室外機に搭載される熱交換器を示す分解斜視図である。
【図４】本発明の実施の形態に係る第１規制部材を示す斜視図である。
【図５】本発明の実施の形態に係る第１規制部材により規制される範囲を示す図である。
【図６】本発明の実施の形態に係る第２規制部材を示す斜視図である。
【図７】本発明の実施の形態に係る第３規制部材を示す斜視図である。
【図８】本発明の実施の形態に係る空気調和装置の室外機に搭載される熱交換器を背面側から見た状態を示す斜視図である。
【図９】従来における空気調和装置の室外機に搭載される熱交換器を背面側から見た状態を示す斜視図である。
【発明を実施するための形態】
【００１１】
以下、図面に基づいて本発明の実施の形態について説明する。なお、各図において、同一の符号を付したものは、同一のまたはこれに相当するものであり、これは明細書の全文において共通している。さらに、明細書全文に示されている構成要素の形態は、あくまで例示であってこれらの記載に限定されるものではない。
【００１２】
実施の形態．
図１は、本発明の実施の形態に係る空気調和装置の室外機１００を示す分解斜視図である。図１に示すように、空気調和装置の室外機１００は、底板１と、底板１上に配置された熱交換器１０と、備えている。
【００１３】
空気調和装置の室外機１００は、圧縮機２と、熱交換器１０と圧縮機２とを接続する接続配管３と、備えている。
【００１４】
空気調和装置の室外機１００は、熱交換器１０に空気を送り込む送風機４と、送風機４を駆動する図示しないモータと、送風機４およびモータを固定するモータ取付台５と、を備えている。モータ取付台５は、底板１に固定され、熱交換器１０を底板１と挟み込むように固定する。モータ取付台５は、天板９と接触する天面側に図示しないインスレーションなどの軟らかい材料の軟性部材を貼り付けてあり、天板９から押圧される。
【００１５】
空気調和装置の室外機１００は、圧縮機２およびモータなどを制御する制御装置６を圧縮機２の上部に平板状に備えている。
【００１６】
空気調和装置の室外機１００は、各種部品を収納するように囲むケーシング７を備えている。ケーシング７は、熱交換器１０の短辺部１２を覆う装置側面部７ａと、装置背面となった熱交換器１０の露出させた長辺部１１とは反対側の装置前面部７ｂと、を有している。
【００１７】
ケーシング７の装置側面部７ａには、吸込口となる通風可能な複数の開口部７ａ１が形成されている。
【００１８】
ケーシング７の装置前面部７ｂには、ファンガードの設けられた吹出口７ｂ１が形成されている。
【００１９】
なお、ケーシング７は、装置側面部７ａと装置前面部７ｂとが別部品で構成されてもよい。
【００２０】
空気調和装置の室外機１００は、ケーシング７の装置側面部７ａとは反対側の装置反対側側面部を構成し、熱交換器１０の長辺部１１の側端部１１ａが固定された支柱部８を備えている。支柱部８は、装置背面の一部と装置反対側側面部とを折れ曲がって繋ぐＬ字状のカバーである。支柱部８の内側には、圧縮機２、接続配管３および制御装置６が配置される。このため、支柱部８には、通風可能な開口部が形成されていない。
【００２１】
空気調和装置の室外機１００は、ケーシング７および支柱部８に上から被さって、モータ取付台５を介して熱交換器１０を底板１とで挟むように下方向に押圧固定している天板９を備えている。天板９は、熱交換器１０、ケーシング７および支柱部８で外郭を形成した室外機の矩形状の四方側面に合わせた形状である。
【００２２】
ここで、熱交換器１０は、１つの長辺部１１と、１つの短辺部１２と、長辺部１１と短辺部１２とを繋いで屈曲した角部１３と、を有したＬ字状に設けられている。つまり、熱交換器１０は、長辺部１１に角部１３を介して短辺部１２を連続させたＬ字状に形成されている。
【００２３】
熱交換器１０は、長辺部１１を装置背面となるように露出させ、室外機１００の外郭に沿って配置されている。
【００２４】
なお、実施の形態では、熱交換器１０は、１つの短辺部１２を備えたＬ字状を例に挙げて説明する。しかし、本発明の熱交換器は、１つの長辺部の両側端部に角部を介して繋がった２つの短辺部を有するＵ字状に設けられてもよい。
【００２５】
図２は、本発明の実施の形態に係る空気調和装置の室外機１００を装置背面から見た状態を示す斜視図である。図２に示すように、空気調和装置の室外機１００は、送風機４により室外機１００の外部空気を、装置背面およびケーシング７の装置側面部７ａに覆われた箇所から熱交換器１０を通過させ、室外機１００の装置前面の吹出口７ｂ１に流通させる。このため、装置背面およびケーシング７の装置側面部７ａに覆われた箇所が流入面部を構成する。また、室外機１００内部に向いた箇所が流出面部を構成する。熱交換器１０では、流入面部から流出面部に至る通風方向に空気が流通する。
【００２６】
空気調和装置の室外機１００は、据付後、真後ろに家屋の壁面などが存在し、使用者が容易に触ることができない熱交換器１０の長辺部１１を吸込口の背面側開口部として露出させている。これにより、装置背面は、空気の流れを阻害する枠などの外郭部品が無く、送風効率が良い。
【００２７】
また、空気調和装置の室外機１００は、熱交換器１０の短辺部１２が存在する室外機１００の側面側を、使用者が容易に触ることができるため、ケーシング７の装置側面部７ａで覆う。ケーシング７の装置側面部７ａには、吸込口となる通風可能な複数の開口部７ａ１が形成されている。
【００２８】
また、図２に示すように、熱交換器１０は、上下に重なる２つの熱交換器ユニット１０ａ、１０ｂを積み重ねて構成されている。
【００２９】
なお、熱交換器ユニットは、上下に３つ以上複数積み重ねて熱交換器を構成してもよい。
【００３０】
さらに、図２に示すように、熱交換器１０の長辺部１１の側端部１１ａは、支柱部８に対して複数個所でネジ２０ａ、２０ｂによりネジ止め固定されている。複数個所でのネジ止め固定は、上下に重なる２つの熱交換器ユニット１０ａ、１０ｂそれぞれを固定する。
ここで、熱交換器１０の短辺部１２側は、ネジ止めあるいは引掛け部材などによって設定箇所に定めて固定されない。熱交換器１０の短辺部１２側は、天板９によって底板１に押圧固定されている。
【００３１】
図３は、本発明の実施の形態に係る空気調和装置の室外機１００に搭載される熱交換器１０を示す分解斜視図である。図３に示すように、上下に重なる２つの熱交換器ユニット１０ａ、１０ｂそれぞれは、Ｕ字状に加工した銅あるいはアルミなどの金属配管１４を複数積み重ねている。また、上下に重なる２つの熱交換器ユニット１０ａ、１０ｂそれぞれは、複数の金属配管１４を通す穴が開いたアルミなどの金属板１５を、複数枚間隔を設け配置されている。上下に重なる２つの熱交換器ユニット１０ａ、１０ｂそれぞれは、複数の金属配管１４と、複数の金属板１５と、を密着加工することで構成されている。
【００３２】
また、上下に重なる２つの熱交換器ユニット１０ａ、１０ｂそれぞれは、長辺部１１に角部１３を介して短辺部１２を連続させたＬ字状に形成されている。上下に重なる２つの熱交換器ユニット１０ａ、１０ｂは、異なる高さであるが、製造バラツキによる形状誤差などの通風方向のずれを有するＬ字状である。通風方向のずれは、曲げ工程時に発生する曲げＲ寸法違いの製造バラツキによるものが大きい。
【００３３】
上下に重なる２つの熱交換器ユニット１０ａ、１０ｂそれぞれは、長辺部１１の側端部１１ａにて、複数の金属配管１４が室外機１００の接続配管３と繋がる。
【００３４】
上下に重なる２つの熱交換器ユニット１０ａ、１０ｂそれぞれは、短辺部１２の側端部１２ａにて、複数の金属配管１４がＵターンし、Ｕターン部１６を設けた端面が構成されている。
【００３５】
熱交換器１０は、上下に隣接する熱交換器ユニット１０ａ、１０ｂ同士の相対位置を規制する第１規制部材３０を備えている。
【００３６】
熱交換器１０は、上下に隣接する熱交換器ユニット１０ａ、１０ｂ同士の相対位置を規制する第２規制部材４０を備えている。
【００３７】
熱交換器１０は、上下に隣接する熱交換器ユニット１０ａ、１０ｂ同士の相対位置を規制する第３規制部材５０を備えている。
【００３８】
図４は、本発明の実施の形態に係る第１規制部材３０を示す斜視図である。図４に示すように、第１規制部材３０は、長辺部１１の一部と長辺部１１から連続する角部１３の一部との間にて、上下に隣接する熱交換器ユニット１０ａ、１０ｂ同士の通風方向の流入面部と流出面部とを挟み込んで規制する。第１規制部材３０は、長辺部１１の一部と角部１３の長辺部１１に連続する一部とに接するが、短辺部１２の一部と角部１３の短辺部１２に連続する一部とには接しない。第１規制部材３０は、金属で構成されている。
【００３９】
第１規制部材３０には、上側の熱交換器ユニット１０ａの通風方向の流入面部と流出面部とを挟み込んで規制する２つのリブ３１、３２が設けられている。２つのリブ３１、３２は、上下に隣接する熱交換器ユニット１０ａ、１０ｂ間に挟まれる基部３３から上方に突出する。流出面部に接触するリブ３２には、上側の熱交換器ユニット１０ａがスムーズに挿入できるように上方の先端の角度を広げた屈曲部３２ａが設けられている。
【００４０】
第１規制部材３０の基部３３には、上側の熱交換器ユニット１０ａで発生した露をドレン水として下方に流通させる複数のドレン水通し孔３４が形成されている。
【００４１】
第１規制部材３０には、下側の熱交換器ユニット１０ｂの通風方向の流入面部と流出面部とを挟み込んで規制する２つのリブ３５、３６が設けられている。２つのリブ３５、３６は、上下に隣接する熱交換器ユニット１０ａ、１０ｂ間に挟まれる基部３３から下方に突出する。流出面部に接触するリブ３６には、下側の熱交換器ユニット１０ｂがスムーズに挿入できるように下方の先端の角度を広げた屈曲部３６ａが設けられている。
【００４２】
流入面部に接触する２つのリブ３１、３５は、１枚の板状部材から切り取って上下それぞれの方向に基部３３から折り曲げられている。リブ３１には、リブ３５を切り取った抜き孔３１ａが形成されている。流出面部に接触する２つのリブ３２、３６は、１枚の板状部材から切り取って上下それぞれの方向に基部から折り曲げられている。これらにより、４つのリブ３１、３２、３５、３６は、上下に隣接する熱交換器ユニット１０ａ、１０ｂそれぞれの規制を少ない材料で実施している。
【００４３】
第１規制部材３０は、上下に隣接する熱交換器ユニット１０ａ、１０ｂのうち上側の熱交換器ユニット１０ａの隣り合う金属板１５間に差し込まれた凸部３７を有している。凸部３７は、上側の熱交換器ユニット１０ａの長辺部１１にて、金属板１５間に差し込まれる。これにより、凸部３７は、第１規制部材３０の横方向の位置ずれを防止している。このため、第１規制部材３０は、上側の熱交換器ユニット１０ａと一緒に長辺部１１の長手方向である左右方向に移動可能となる。
【００４４】
ここで、凸部を下側の熱交換器ユニット１０ｂにも設けた場合には、外部からの衝撃により熱交換器１０の複数の金属板１５の変形や、衝撃により上下に重なる２つの熱交換器ユニット１０ａ、１０ｂが左右でずれたまま固定されるなど問題が生じる。実施の形態のように、凸部３７を上側の熱交換器ユニット１０ａのみに設けることにより、衝撃が発生した場合でも第１規制部材３０は、上側の熱交換器ユニット１０ａと共に移動するが、下側の熱交換器ユニット１０ｂとは一緒に移動しない。そのため、金属板１５の変形を抑制し、かつ、衝撃後もとの位置に戻ることができ、長辺部１１の長手方向である左右方向の位置ずれが抑制できる。
【００４５】
なお、実施の形態では、凸部は、上側の熱交換器ユニットの隣り合う金属板間に差し込まれている。しかし、凸部は、上側の熱交換器ユニットではなく、下側の熱交換器ユニットの隣り合う金属板間に差し込まれてもよい。
【００４６】
図５は、本発明の実施の形態に係る第１規制部材３０により規制される範囲を示す図である。図５に示すように、第１規制部材３０は、斜線部で示した熱交換器１０の長辺部１１の一部に始点３０ａを有すると共に、熱交換器１０の角部１３のＲ曲線の半分の位置に終点３０ｂを有している。すなわち、第１規制部材３０は、長辺部１１の一部の始点３０ａと長辺部１１から連続する角部１３の半分の位置の終点３０ｂとの間にて上下に隣接する熱交換器ユニット１０ａ、１０ｂ同士の相対位置を合わせている。このように、第１規制部材３０は、熱交換器１０の角部１３の全領域を４つのリブで固定せず、角部１３の途中までの範囲に設けている。これにより、上下に重なる２つの熱交換器ユニット１０ａ、１０ｂの曲げ工程時に発生する曲げＲ寸法違い（製造バラツキ）が吸収でき、通風方向のずれが長辺部１１側よりも短辺部１２側に大きく強制できる。図５に示す破線の短辺部１２は、通風方向にずれた熱交換器ユニット１０ａ、１０ｂの一方を現す。
【００４７】
図６は、本発明の実施の形態に係る第２規制部材４０を示す斜視図である。図６に示すように、第２規制部材４０は、上下に隣接する熱交換器ユニット１０ａ、１０ｂ同士における長辺部１１の途中にて上下に隣接する熱交換器ユニット１０ａ、１０ｂ同士の通風方向の流入面部と流出面部とを挟み込んで規制する。第２規制部材４０は、金属で構成されている。
【００４８】
第２規制部材４０には、上側の熱交換器ユニット１０ａの通風方向の流入面部と流出面部とを挟み込んで規制する２つのリブ４１、４２が設けられている。２つのリブ４１、４２は、上下に隣接する熱交換器ユニット１０ａ、１０ｂ間に挟まれる基部４３から上方に突出する。流出面部に接触するリブ４２には、上側の熱交換器ユニット１０ａがスムーズに挿入できるように上方の先端の角度を広げた屈曲部４２ａが設けられている。
【００４９】
第２規制部材４０の基部４３には、上側の熱交換器ユニット１０ａで発生した露をドレン水として下方に流通させる複数のドレン水通し孔４４が形成されている。
【００５０】
第２規制部材４０には、下側の熱交換器ユニット１０ｂの通風方向の流入面部と流出面部とを挟み込んで規制する２つのリブ４５、４６が設けられている。２つのリブ４５、４６は、上下に隣接する熱交換器ユニット１０ａ、１０ｂ間に挟まれる基部４３から下方に突出する。流出面部に接触するリブ４６には、下側の熱交換器ユニット１０ｂがスムーズに挿入できるように下方の先端の角度を広げた屈曲部４６ａが設けられている。
【００５１】
流入面部に接触する２つのリブ４１、４５は、１枚の板状部材から切り取って上下それぞれの方向に基部４３から折り曲げられている。リブ４１には、リブ４５を切り取った抜き孔４１ａが形成されている。流出面部に接触する２つのリブ４２、４６は、１枚の板状部材から切り取って上下それぞれの方向に基部４３から折り曲げられている。リブ４６には、リブ４２を切り取った抜き孔４６ｂが形成されている。これらにより、４つのリブ４１、４２、４５、４６は、上下に隣接する熱交換器ユニット１０ａ、１０ｂそれぞれの規制を少ない材料で実施している。
【００５２】
第２規制部材４０は、上下に隣接する熱交換器ユニット１０ａ、１０ｂのうち上側の熱交換器ユニット１０ａの隣り合う金属板１５間に差し込まれた凸部４７ａ、４７ｂを有している。凸部４７ａ、４７ｂは、上側の熱交換器ユニット１０ａの長辺部１１にて、金属板１５間に差し込まれる。これにより、凸部４７ａ、４７ｂは、第２規制部材４０の横方向の位置ずれを防止している。このため、第２規制部材４０は、上側の熱交換器ユニット１０ａと一緒に長辺部１１の長手方向である左右方向に移動可能となる。
【００５３】
ここで、凸部を下側の熱交換器ユニット１０ｂにも設けた場合には、外部からの衝撃により熱交換器１０の複数の金属板１５の変形や、衝撃により上下に重なる２つの熱交換器ユニット１０ａ、１０ｂが左右でずれたまま固定されるなど問題が生じる。実施の形態のように、凸部４７ａ、４７ｂを上側の熱交換器ユニット１０ａのみに設けることにより、衝撃が発生した場合でも第２規制部材４０は、上側の熱交換器ユニット１０ａと共に移動するが、下側の熱交換器ユニット１０ｂとは一緒に移動しない。そのため、金属板１５の変形を抑制し、かつ、衝撃後もとの位置に戻ることができ、長辺部１１の長手方向である左右方向の位置ずれが抑制できる。
【００５４】
なお、実施の形態では、凸部は、上側の熱交換器ユニットの隣り合う金属板間に差し込まれている。しかし、凸部は、上側の熱交換器ユニットではなく、下側の熱交換器ユニットの隣り合う金属板間に差し込まれてもよい。
【００５５】
図７は、本発明の実施の形態に係る第３規制部材５０を示す斜視図である。図７に示すように、第３規制部材５０は、上下に隣接する熱交換器ユニット１０ａ、１０ｂ同士における短辺部１２の側端部１２ａにて上下に隣接する熱交換器ユニット１０ａ、１０ｂ同士の上下方向を規制し、通風方向にずれを許容する遊びを持たせている。
【００５６】
第３規制部材５０は、変形が容易となるように樹脂で構成されている。なお、通風方向にずれを許容する遊びを持たせることができれば、第３規制部材５０は、金属で構成されてもよい。
【００５７】
第３規制部材５０には、上側の熱交換器ユニット１０ａの短辺部１２の側端部１２ａにて金属配管１４がＵターンしたＵターン部１６を挿通させる上側の３つの挿通孔５１、５２、５３が設けられている。また、第３規制部材５０には、下側の熱交換器ユニット１０ｂの短辺部１２の側端部１２ａにて金属配管１４がＵターンしたＵターン部１６を挿通させる下側の３つの挿通孔５４、５５、５６が設けられている。
【００５８】
これらの挿通孔５１、５２、５３、５４、５５、５６は、上下寸法がＵターン部１６を嵌め込む寸法に形成され、上下に隣接する熱交換器ユニット１０ａ、１０ｂ同士の上下方向を規制している。また、これらの挿通孔５１、５２、５３、５４、５５、５６は、左右寸法がＵターン部１６よりも幅広く形成され、通風方向にずれを許容する遊びを持たせている。
【００５９】
そして、通風方向の流入面部側と流出面部側との挿通孔５１、５３、５４、５６には、Ｕターン部１６のずれを許容しつつある程度固定して第３規制部材５０が外れないよう弾性変形する爪部５１ａ、５３ａ、５４ａ、５６ａが設けられている。爪部５１ａ、５３ａ、５４ａ、５６ａは、Ｕターン部１６の左右方向に沿って設けられ、Ｕターン部１６から第３規制部材５０を外れない程度に付勢している。爪部５１ａ、５４ａ、は、挿通孔５１、５４のそれぞれの左右両側に１つずつ設けられている。
【００６０】
図８は、本発明の実施の形態に係る空気調和装置の室外機１００に搭載される熱交換器１０を背面側から見た状態を示す斜視図である。図８に示すように、上下に重ねた２つの熱交換器ユニット１０ａ、１０ｂは、長辺部１１の側端部１１ａにて接続配管３に複数の金属配管１４を接続できるように、長辺部１１の側端部１１ａを揃えて組み合せられている。このために、第１規制部材３０と第２規制部材４０とが、長辺部１１にて、上下に重なる２つの熱交換器ユニット１０ａ、１０ｂ同士の相対的な位置を合わせている。これにより、上下に重ねた２つの熱交換器ユニット１０ａ、１０ｂの長辺部１１の表面は、通風方向のずれに起因する段差が小さく同様に均された平面となる。
【００６１】
一方、上下に重ねた２つの熱交換器ユニット１０ａ、１０ｂは、金属配管１４のＵターン部１６を有する短辺部１２の側端部１２ａにて第３規制部材５０を用いてしっかり固定するのではなく、上側の熱交換器ユニット１０ａと下側の熱交換器ユニット１０ｂとがバラバラに左右方向に移動できるように通風方向のずれを許容する遊びを持たせている。また、第１規制部材３０は、熱交換器１０の長辺部１１の一部と長辺部１１から連続する角部１３の途中までとを規制する。
【００６２】
これにより、上下に熱交換器ユニット１０ａ、１０ｂを積み重ねた場合に、製造バラツキから発生する通風方向でのずれに起因する段差１７は、熱交換器１０の長辺部１１側よりも短辺部１２側に大きく形成される。熱交換器１０では、通風方向のずれに起因する段差１７は、短辺部１２側に大きく形成されている。
【００６３】
なお、段差は、上下に重なる熱交換器ユニット間の通風方向でのずれに起因するので、図８に示す上方を向いた段差１７だけでなく、下方を向いた段差が発生しても問題ない。
【００６４】
そして、段差１７を有する熱交換器１０の短辺部１２が存在する室外機１００の側面側は、ケーシング７の装置側面部７ａで覆われる。
【００６５】
図９は、従来における空気調和装置の室外機に搭載される熱交換器２１０を背面側から見た状態を示す斜視図である。図９に示すように、熱交換器２１０は、室外機に収納された接続配管と接続される金属配管の接続端部を有する長辺部２１１の側端部２１１ａと、金属配管のＵターン部を有する短辺部２１２の側端部２１２ａと、の両方を揃えるように組み合わせている。そのため、熱交換器２１０は、上側の熱交換器ユニット２１０ａと、下側の熱交換器ユニット２１０ｂと、の合わせ部分は、長辺部２１１から角部２１３にわたって通風方向でのずれに起因する段差２１７が生じる。
【００６６】
この場合には、熱交換器２１０の長辺部２１１が空気をスムーズに通風するために露出していると、据付作業者あるいは使用者は、段差２１７に容易に触ることができる。このため、段差２１７により怪我をしたり、衣類などが引っ掛かって傷ついてしまったりするなどの不具合が生じる。この不具合を対策するために、装置背面にネットなどを設ける場合には、熱交換器２１０に容易に触ることができない。しかし、部品点数が増加し、非経済的である。
【００６７】
また、上側の熱交換器ユニット２１０ａと、下側の熱交換器ユニット２１０ｂと、の曲げ加工を、同じ設備上で同時に行うことにより、曲げ加工時に生じるバラツキを上下に重なる２つの熱交換器ユニット２１０ａ、２１０ｂで同じにし、積み重ねた時の段差２１７をなくせる。しかし、その場合には、設備の大型化あるいは生産場所が限定され、生産の増加に対応できないという問題が生じる。
【００６８】
実施の形態によれば、空気調和装置の室外機１００は、長辺部１１と、短辺部１２と、長辺部１１と短辺部１２とを繋いで屈曲した角部１３と、を有した２つの熱交換器ユニット１０ａ、１０ｂを上下に積み重ねた熱交換器１０を備えている。熱交換器１０は、上下に隣接する熱交換器ユニット１０ａ、１０ｂ同士の間で発生した通風方向でのずれを長辺部１１側よりも短辺部１２側に大きく形成している。
【００６９】
この構成によれば、組立時に熱交換器ユニット１０ａ、１０ｂの折り曲げ角度は調整せず、上下に隣接する熱交換器ユニット１０ａ、１０ｂ同士の間で発生した通風方向でのずれを短辺部１２側に大きくなるように組み立てられる。したがって、組立時に熱交換器ユニット１０ａ、１０ｂの折り曲げ角度の調整を必要とせず組立効率が向上できる。また、据付作業者あるいは使用者が上下に積み重ねた熱交換器ユニット１０ａ、１０ｂに触れられる装置背面などの長辺部１１が配置される箇所での、上下に積み重ねた熱交換器ユニット１０ａ、１０ｂの通風方向でのずれに起因する段差が抑制できる。
【００７０】
そのため、据付作業者あるいは使用者は、装置背面などの長辺部１１が配置される箇所にて、上下に積み重ねた熱交換器ユニット１０ａ、１０ｂの通風方向でのずれに起因する段差に容易に触ることができず、安全性が向上できる。また、据付作業者あるいは使用者が上下に積み重ねた熱交換器ユニット１０ａ、１０ｂに触れられる装置外観での目立つ長辺部１１が配置される箇所に、上下に積み重ねた熱交換器ユニット１０ａ、１０ｂの通風方向でのずれに起因する段差が抑制できる。このため、空気調和装置の室外機１００は、使用者に段差が目立つことによる製品不具合が生じているような不安感を抱かせない。
【００７１】
実施の形態によれば、熱交換器１０は、上下に隣接する熱交換器ユニット１０ａ、１０ｂ同士の間で発生した通風方向でのずれを、長辺部１１の一部と長辺部１１から連続する角部１３の一部との間にて上下に隣接する熱交換器ユニット１０ａ、１０ｂ同士の相対位置を合わせて長辺部１１側よりも短辺部１２側に大きく形成している。
【００７２】
この構成によれば、熱交換器１０は、長辺部１１の一部と長辺部１１から連続する角部１３の一部との間にて上下に隣接する熱交換器ユニット１０ａ、１０ｂ同士の相対位置を合わせ、長辺部１１側の通風方向でのずれを短辺部１２側に強制できる。このため、組立時に熱交換器ユニット１０ａ、１０ｂの折り曲げ角度は調整せず、上下に隣接する熱交換器ユニット１０ａ、１０ｂ同士の間で発生した通風方向でのずれを短辺部１２側に大きくなるように組み立てられる。
【００７３】
実施の形態によれば、空気調和装置の室外機１００は、上下に隣接する熱交換器ユニット１０ａ、１０ｂ同士の相対位置を規制する第１規制部材３０を備えている。第１規制部材３０は、長辺部１１の一部と長辺部１１から連続する角部１３の一部との間にて上下に隣接する熱交換器ユニット１０ａ、１０ｂ同士の通風方向の流入面部と流出面部とを挟み込んで規制する。
【００７４】
この構成によれば、熱交換器１０は、第１規制部材３０を用いて長辺部１１の一部と長辺部１１から連続する角部１３の一部との間にて上下に隣接する熱交換器ユニット１０ａ、１０ｂ同士の相対位置を合わせ、長辺部１１側の通風方向でのずれを短辺部１２側に強制できる。
【００７５】
実施の形態によれば、第１規制部材３０は、上下に隣接する熱交換器ユニット１０ａ、１０ｂ同士を相互間で長辺部１１の長手方向に移動可能とする。
【００７６】
この構成によれば、第１規制部材３０は、上下に隣接する熱交換器ユニット１０ａ、１０ｂ同士の相互間の長辺部１１の長手方向への移動を許容する。そのため、熱交換器１０は、変形などの損傷が抑制できる。
【００７７】
実施の形態によれば、第１規制部材３０は、上下に隣接する熱交換器ユニット１０ａ、１０ｂのうちどちらか一方の上部の熱交換器ユニット１０ａの隣り合う金属板１５間に差し込まれた凸部３７を有している。
【００７８】
この構成によれば、第１規制部材３０は、凸部３７を隣り合う金属板１５間に差し込んだ一方の上部の熱交換器ユニット１０ａと共に移動できる。そして、第１規制部材３０は、上下に隣接する熱交換器ユニット１０ａ、１０ｂ同士の相互間の移動を許容できる。
【００７９】
実施の形態によれば、空気調和装置の室外機１００は、上下に隣接する熱交換器ユニット１０ａ、１０ｂ同士の相対位置を規制する第２規制部材４０を備えている。第２規制部材４０は、上下に隣接する熱交換器ユニット１０ａ、１０ｂ同士における長辺部１１の途中にて上下に隣接する熱交換器ユニット１０ａ、１０ｂ同士の通風方向の流入面部と流出面部とを挟み込んで規制する。
【００８０】
この構成によれば、熱交換器１０は、第２規制部材４０を用いて長辺部１１の途中にて上下に隣接する熱交換器ユニット１０ａ、１０ｂ同士の相対位置を合わせ、長辺部１１側の通風方向でのずれを強制できる。
【００８１】
そして、第２規制部材４０は、第１規制部材３０との２箇所で長辺部１１側の通風方向でのずれを短辺部１２側に強制するので、長辺部１１での通風方向でのずれに起因する段差をより小さくできる。
【００８２】
実施の形態によれば、空気調和装置の室外機１００は、上下に隣接する熱交換器ユニット１０ａ、１０ｂ同士の相対位置を規制する第３規制部材５０を備えている。第３規制部材５０は、上下に隣接する熱交換器ユニット１０ａ、１０ｂ同士における短辺部１２の側端部１２ａにて上下に隣接する熱交換器ユニット１０ａ、１０ｂ同士の上下方向を規制し、通風方向にずれを許容する遊びを持たせる。
【００８３】
この構成によれば、熱交換器１０は、第３規制部材５０を用いて短辺部１２の側端部１２ａにて上下に隣接する熱交換器ユニット１０ａ、１０ｂ同士の上下方向を規制できる。このため、熱交換器１０は、短辺部１２の側端部１２ａにて上下に隣接する熱交換器ユニット１０ａ、１０ｂの上下間が開いてしまうことが無い。また、第３規制部材５０は、上下に隣接する熱交換器ユニット１０ａ、１０ｂ同士の通風方向にずれを許容する遊びを持たせられる。このため、熱交換器１０は、短辺部１２側に強制した通風方向でのずれを保持したまま、短辺部１２の側端部１２ａの上下方向を規制できる。
【００８４】
実施の形態によれば、熱交換器１０は、長辺部１１を装置背面となるように露出させている。空気調和装置の室外機１００は、熱交換器１０の短辺部１２を覆い、通風可能な複数の開口部７ａ１が形成されたケーシング７を備えている。
【００８５】
この構成によれば、熱交換器１０は、長辺部１１を装置背面となるように露出させている。このため、据付作業者あるいは使用者が上下に積み重ねた熱交換器ユニット１０ａ、１０ｂに触れられる装置背面となるように露出した長辺部１１での、上下に積み重ねた熱交換器ユニット１０ａ、１０ｂの通風方向でのずれに起因する段差が抑制できる。
【００８６】
そのため、据付作業者あるいは使用者は、装置背面となるように露出した長辺部１１にて、上下に積み重ねた熱交換器ユニット１０ａ、１０ｂの通風方向でのずれに起因する段差に容易に触ることができず、安全性が向上できる。また、据付作業者あるいは使用者が上下に積み重ねた熱交換器ユニット１０ａ、１０ｂに触れられる装置外観での目立つ装置背面となるように露出した長辺部１１に、上下に積み重ねた熱交換器ユニット１０ａ、１０ｂの通風方向でのずれに起因する段差が抑制できる。このため、空気調和装置の室外機１００は、使用者に装置背面の段差が目立つことによる製品不具合が生じているような不安感を抱かせない。
【００８７】
また、ケーシング７は、熱交換器１０の短辺部１２を覆い、通風可能な複数の開口部７ａ１が形成されている。このため、熱交換器１０の短辺部１２側に大きく形成された通風方向でのずれあるいはずれに起因する段差１７は、ケーシング７に覆われて隠されている。また、ケーシング７には、通風可能な複数の開口部７ａ１が形成されていて、短辺部１２での熱交換器１０の効率の低下が抑制できる。
【００８８】
そのため、据付作業者あるいは使用者は、通風方向でのずれの大きな短辺部１２がケーシング７に覆われていて、上下に積み重ねた熱交換器ユニット１０ａ、１０ｂの通風方向でのずれに起因する段差１７に容易に触ることができず、安全性が向上できる。また、空気調和装置の室外機１００は、通風方向でのずれの大きな短辺部１２がケーシング７に覆われていて、使用者に通風方向でのずれに起因する段差１７が目立つことによる製品不具合が生じているような不安感を抱かせない。
【００８９】
実施の形態によれば、空気調和装置の室外機１００は、ケーシング７に被さって熱交換器１０を下方向に押圧固定した天板９を備えている。
【００９０】
この構成によれば、天板９がケーシング７に被さって熱交換器１０を下方向に押圧固定している。このとき、天板９は、底板１とで挟み込むものであってインスレーションなどの軟らかい軟性部材を貼り付けたモータ取付台５を介して熱交換器１０を下方向に押圧固定できる。このため、上下に隣接する熱交換器ユニット１０ａ、１０ｂ同士の間で発生した通風方向でのずれが短辺部１２側に大きく形成されても、熱交換器１０の短辺部１２側は天板９により押圧固定されるだけであるので、通風方向のずれが許容された状態で熱交換器１０がしっかりと固定できる。それにより、熱交換器１０の短辺部１２側では、ずれ量によって短辺部１２の位置が変わっても、ネジ止めあるいは引掛け部材などによって設定箇所に定めて固定する必要が無いので、部品点数が削減でき、組立効率が向上できる。
【００９１】
実施の形態によれば、熱交換器ユニット１０ａ、１０ｂは、長辺部１１に角部１３を介して短辺部１２を連続させたＬ字状に形成されている。ケーシング７は、熱交換器１０の短辺部１２を覆う装置側面部７ａと、装置背面となった熱交換器１０の露出させた長辺部１１とは反対側の装置前面部７ｂと、を有している。空気調和装置の室外機１００は、ケーシング７の装置側面部７ａとは反対側の装置反対側側面部を構成し、熱交換器１０の長辺部１１の側端部１１ａが固定された支柱部８を備えている。天板９は、ケーシング７および支柱部８に被さって熱交換器１０を下方向に押圧固定している。
【００９２】
この構成によれば、Ｌ字状に形成された熱交換器ユニット１０ａ、１０ｂから構成される熱交換器１０は、通風方向のずれを強制されて端部位置が揃った長辺部１１の側端部１１ａが支柱部８に固定されている。そして、天板９がケーシング７および支柱部８に被さって熱交換器１０を下方向に押圧固定している。このとき、天板９は、底板１とで挟み込むものであってインスレーションなどの軟らかい軟性部材を貼り付けたモータ取付台５を介して熱交換器１０を下方向に押圧固定できる。このため、上下に隣接する熱交換器ユニット１０ａ、１０ｂ同士の間で発生した通風方向でのずれが短辺部１２側に大きく形成されても、熱交換器１０の短辺部１２側は天板９により押圧固定されるだけであるので、通風方向のずれが許容された状態で熱交換器１０がしっかりと固定できる。それにより、熱交換器１０の短辺部１２側では、ずれ量によって短辺部１２の位置が変わっても、ネジ止めあるいは引掛け部材などによって設定箇所に定めて固定する必要が無いので、部品点数が削減でき、組立効率が向上できる。
【００９３】
また、モータ取付台５は、天面側にインスレーションなどの軟らかい材料の軟性部材を貼り付けて天板９と接触する構成である。これにより、空気調和装置の室外機１００は、運転中の振動によるモータ取付台５と天板９との接触音が防止できる。
【００９４】
なお、熱交換器ユニット１０ａ、１０ｂは、長辺部１１に角部１３を介して短辺部１２を連続させたＬ字状に形成されていた。しかし、本発明は、熱交換器ユニットが長辺部の両側に短辺部をそれぞれ有するＵ字状に形成されても適用できる。
【符号の説明】
【００９５】
１  底板、２  圧縮機、３  接続配管、４  送風機、５  モータ取付台、６  制御装置、７  ケーシング、７ａ  装置側面部、７ａ１  開口部、７ｂ  装置前面部、７ｂ１  吹出口、８  支柱部、９  天板、１０  熱交換器、１０ａ  熱交換器ユニット、１０ｂ  熱交換器ユニット、１１  長辺部、１１ａ  側端部、１２  短辺部、１２ａ  側端部、１３  角部、１４  金属配管、１５  金属板、１６  Ｕターン部、１７  段差、２０ａ  ネジ、２０ｂ  ネジ、３０  第１規制部材、３０ａ  始点、３０ｂ  終点、３１  リブ、３１ａ  抜き孔、３２  リブ、３２ａ  屈曲部、３３  基部、３４  ドレン水通し孔、３５  リブ、３６  リブ、３６ａ  屈曲部、３７  凸部、４０  第２規制部材、４１  リブ、４１ａ  抜き孔、４２  リブ、４２ａ  屈曲部、４３  基部、４４  ドレン水通し孔、４５  リブ、４６  リブ、４６ａ  屈曲部、４６ｂ  抜き孔、４７ａ  凸部、４７ｂ  凸部、５０  第３規制部材、５１  挿通孔、５１ａ  爪部、５２  挿通孔、５３  挿通孔、５３ａ  爪部、５４  挿通孔、５４ａ  爪部、５５  挿通孔、５６  挿通孔、５６ａ  爪部、１００  室外機、２１０  熱交換器、２１０ａ  熱交換器ユニット、２１０ｂ  熱交換器ユニット、２１１  長辺部、２１１ａ  側端部、２１２  短辺部、２１２ａ  側端部、２１３  角部、２１７  段差。
【図１】
0006775587.tif 000002
【図２】
0006775587.tif 000003
【図３】
0006775587.tif 000004
【図４】
0006775587.tif 000005
【図５】
0006775587.tif 000006
【図６】
0006775587.tif 000007
【図７】
0006775587.tif 000008
【図８】
0006775587.tif 000009
【図９】
0006775587.tif 000010